(57)【要約】【課題】スクリーンが畳み込まれた時の意匠性の向上、或いはスクリーンが畳み込まれた時に生じうるヘッドボックス直下方の光漏れの抑制を可能とするプリーツスクリーンを提供する。【解決手段】本発明による一態様のプリーツスクリーンは、ヘッドボックス１から上部スクリーン１１Ｕを吊下して中間レール７を支持し該中間レール７から下部スクリーン１１Ｌを吊下してボトムレール８を支持するよう構成され、上部スクリーン１１Ｕを採光性生地とし、ヘッドボックス１の左右方向幅と略同一幅で、上部スクリーン１１Ｕが畳み込まれた際の意匠性の向上を可能とするか、又はヘッドボックス１の直下方の光漏れを防止又は抑制可能とする遮蔽部２０が、ヘッドボックス１、ヘッドボックス１を支持するブラケット２、或いは中間レール７のいずれかに設けられている。【選択図】図１
2018131821.tif 000002
【特許請求の範囲】
【請求項１】
上下方向に折り曲げ可能としたスクリーンをヘッドボックスから吊下支持し、そのスクリーンを昇降して採光量を調節可能とするプリーツスクリーンであって、
前記ヘッドボックスの左右方向幅と略同一幅で、前記スクリーンが畳み込まれた際の前記スクリーンの上部と前記ヘッドボックスの最下限位置との間を少なくとも覆う遮蔽部を備えることを特徴とするプリーツスクリーン。
【請求項２】
上下方向に折り曲げ可能としたスクリーンをヘッドボックスから吊下支持し、そのスクリーンを昇降して採光量を調節可能とするプリーツスクリーンであって、
前記ヘッドボックスの左右方向幅と略同一幅で、前記スクリーンが畳み込まれた際に前記ヘッドボックスの直下方の光漏れを防止又は抑制可能とする遮蔽部が、前記ヘッドボックス、前記ヘッドボックスを支持するブラケット、或いは前記スクリーンの下端に錘部材として取着されるレールのいずれかに設けられていることを特徴とするプリーツスクリーン。
【請求項３】
ヘッドボックスからスクリーンを吊下して中間レールを支持し該中間レールから下部スクリーンを吊下してボトムレールを支持するプリーツスクリーンであって、
前記スクリーンを採光性生地とし、前記ヘッドボックスの左右方向幅と略同一幅で、前記スクリーンが畳み込まれた際に前記ヘッドボックスの直下方の光漏れを防止又は抑制可能とする遮蔽部が、前記ヘッドボックス、前記ヘッドボックスを支持するブラケット、或いは前記中間レールのいずれかに設けられていることを特徴とするプリーツスクリーン。
【請求項４】
前記ヘッドボックスから吊下されるスクリーンの後方に、前記ヘッドボックスから後側スクリーンが吊下されていることを特徴とする、請求項１又は２に記載のプリーツスクリーン。
【請求項５】
前記遮蔽部は、前記ヘッドボックスの前側又は後側で、前記ヘッドボックスの下面から当該スクリーンを吊下するための生地押さえを利用して固定又は可動に支持されていることを特徴とする、請求項１から４のいずれか一項に記載のプリーツスクリーン。
【請求項６】
前記遮蔽部は、前記ヘッドボックスの前面又は後面の上段で、固定又は可動に支持されていることを特徴とする、請求項１から４のいずれか一項に記載のプリーツスクリーン。
【請求項７】
前記遮蔽部は、前記ヘッドボックスの前面又は後面の中段で、固定又は可動に支持されていることを特徴とする、請求項１から４のいずれか一項に記載のプリーツスクリーン。
【請求項８】
前記遮蔽部は、前記ヘッドボックスの下面の前側又は後側で、固定又は可動に支持されていることを特徴とする、請求項１から４のいずれか一項に記載のプリーツスクリーン。
【請求項９】
前記遮蔽部に所定の生地が取着されていることを特徴とする、請求項１から８のいずれか一項に記載のプリーツスクリーン。
【請求項１０】
前記遮蔽部に所定の生地が取着され、
前記所定の生地は、前記後側スクリーンの前方の当該スクリーンが畳み込まれた際に前記後側スクリーンと統一性を持つ生地で構成されていることを特徴とする、請求項４、或いは請求項４を引用する請求項５から８のいずれか一項に記載のプリーツスクリーン。
【請求項１１】
前記遮蔽部に所定の生地が取着され、
前記所定の生地は、前記下部スクリーンの上方の当該スクリーンが畳み込まれた際に前記下部スクリーンと統一性を持つ生地で構成されていることを特徴とする、請求項３、或いは請求項３を引用する請求項５から８のいずれか一項に記載のプリーツスクリーン。
【請求項１２】
前記遮蔽部は前記所定の生地の上縁を掴持する掴持手段を有することを特徴とする、請求項９から１１のいずれか一項に記載のプリーツスクリーン。
【請求項１３】
前記遮蔽部は、前記ヘッドボックスの前側に設けられていることを特徴とする、請求項１から１２のいずれか一項に記載のプリーツスクリーン。
【請求項１４】
前記遮蔽部は、前記ヘッドボックスよりも前方に突出しないように設けられていることを特徴とする、請求項１３に記載のプリーツスクリーン。
【請求項１５】
前記遮蔽部の長さは、少なくとも前記ヘッドボックスの直下方の光漏れの防止又は抑制として作用する長さ、又は、少なくとも前記スクリーンの畳み込み状態を隠す長さ、或いは、少なくとも前記スクリーンの下端に錘部材として取着されるレールを隠す長さとして規定されていることを特徴とする、請求項１から１４のいずれか一項に記載のプリーツスクリーン。
【請求項１６】
前記スクリーンは、折り畳み可能なハニカム構造の筒体が上下方向に多数連なる構造を有することを特徴とする、請求項１から１５のいずれか一項に記載のプリーツスクリーン。
【請求項１７】
前記遮蔽部に所定の生地が取着され、
前記所定の生地は、前記上部スクリーンと前記ハニカム構造のスクリーンにおける前側スクリーンのいずれか一方、又は双方と統一性を持つ生地で構成されていることを特徴とする、請求項１６に記載のプリーツスクリーン。
【発明の詳細な説明】
【技術分野】
【０００１】
本発明は、上下方向に折り曲げ可能としたスクリーンをヘッドボックスから吊下支持し、そのスクリーンを昇降して採光量を調節可能とするプリーツスクリーンに関する。
【背景技術】
【０００２】
プリーツスクリーンは、上下方向に折り曲げ可能としたスクリーンをヘッドボックスから吊下支持し、そのスクリーンを操作装置により昇降して採光量を適宜に調節するものである。
【０００３】
一般的に１枚のスクリーンをヘッドボックスから吊下支持するプリーツスクリーンでは、このスクリーンをドレープ生地（遮光性生地）やレース生地（採光性生地）とし、そのスクリーンの畳み込みにより採光量を調整することができる。
【０００４】
また、プリーツスクリーンの一種類として、上下方向にジグザグ状に折り曲げ可能としたスクリーンを異なる生地の上部スクリーンと下部スクリーンとで構成し、上部スクリーンの下端縁と下部スクリーンの上端縁を中間レールに取着し、中間レールとボトムレールをそれぞれ独立した昇降コードで吊下支持したものがある（例えば、特許文献１参照）。
【０００５】
このような上部スクリーンと下部スクリーンを持つプリーツスクリーンでは、上部スクリーンを採光性生地とし下部スクリーンを遮光性生地とするか、或いは逆に、上部スクリーンを遮光性生地とし下部スクリーンを採光性生地とするなど、様々な組み合わせの生地を中間レールで分離することができる。そして、上部スクリーンと下部スクリーンのいずれか一方又は双方を畳み込むことで採光量を調節することができ、採光量調節の自由度を高めている。また、中間レールを１つとすることに限らず、複数の中間レールとし３枚以上のスクリーンの組み合わせとすることもできる。
【０００６】
また、上下方向にジグザグ状に折り曲げ可能とした複数のスクリーンをヘッドボックスから前後に吊下支持し、複数のスクリーンを個別に昇降可能とするプリーツスクリーンも知られている（例えば、特許文献２参照）。
【０００７】
例えば２枚のスクリーンをヘッドボックスから前後に吊下支持するプリーツスクリーンにおいて、前側スクリーンを採光性生地とし後側スクリーンを遮光性生地とするか、或いは逆に、前側スクリーンを遮光性生地とし後側スクリーンを採光性生地とするなど、様々な組み合わせの生地を前後で分離することができる。そして、前側スクリーンと後側スクリーンのいずれか一方又は双方を畳み込むことで採光量を調節することができ、採光量調節の自由度を高めている。また、２枚のスクリーンをヘッドボックスから前後に吊下支持することに限らず、３枚以上のスクリーンの組み合わせとすることもできる。
【０００８】
また、折り畳み可能なハニカム構造の筒体が上下方向に多数連なる構造を有するスクリーンをヘッドボックスから吊下支持し、当該ハニカム構造のスクリーンを昇降可能とするプリーツスクリーンも知られている（例えば、特許文献３参照）。
【先行技術文献】
【特許文献】
【０００９】
【特許文献１】特開２０１６−２９２４６号公報
【特許文献２】特開２０１４−２１８８０３号公報
【特許文献３】特開２０１４−１２２４９２号公報
【発明の概要】
【発明が解決しようとする課題】
【００１０】
前述したように、従来から、１枚又は上下に複数枚のスクリーンの畳み込みにより採光量を調整可能とするシングルタイプのプリーツスクリーン、或いは前後に複数枚のスクリーンの畳み込みにより採光量を調整可能とするデュアルタイプのプリーツスクリーンが知られている。
【００１１】
しかしながら、これらのプリーツスクリーンでは、スクリーンが畳み込まれた時の意匠性の低下や、スクリーンが畳み込まれた時にヘッドボックス直下方の光漏れが生じることがあり、これらの観点で改善の余地がある。
【００１２】
本発明の目的は、上述の問題に鑑みて、スクリーンが畳み込まれた時の意匠性の向上、或いはスクリーンが畳み込まれた時に生じうるヘッドボックス直下方の光漏れの抑制を可能とするプリーツスクリーンを提供することにある。
【課題を解決するための手段】
【００１３】
本発明による第１態様のプリーツスクリーンは、上下方向に折り曲げ可能としたスクリーンをヘッドボックスから吊下支持し、そのスクリーンを昇降して採光量を調節可能とするプリーツスクリーンであって、前記ヘッドボックスの左右方向幅と略同一幅で、前記スクリーンが畳み込まれた際の前記スクリーンの上部と前記ヘッドボックスの最下限位置との間を少なくとも覆う遮蔽部を備えることを特徴とする。
【００１４】
更に、本発明による第２態様のプリーツスクリーンは、上下方向に折り曲げ可能としたスクリーンをヘッドボックスから吊下支持し、そのスクリーンを昇降して採光量を調節可能とするプリーツスクリーンであって、前記ヘッドボックスの左右方向幅と略同一幅で、前記スクリーンが畳み込まれた際に前記ヘッドボックスの直下方の光漏れを防止又は抑制可能とする遮蔽部が、前記ヘッドボックス、前記ヘッドボックスを支持するブラケット、或いは前記スクリーンの下端に錘部材として取着されるレールのいずれかに設けられていることを特徴とする。
【００１５】
更に、本発明による第３態様のプリーツスクリーンは、ヘッドボックスからスクリーンを吊下して中間レールを支持し該中間レールから下部スクリーンを吊下してボトムレールを支持するプリーツスクリーンであって、前記スクリーンを採光性生地とし、前記ヘッドボックスの左右方向幅と略同一幅で、前記スクリーンが畳み込まれた際に前記ヘッドボックスの直下方の光漏れを防止又は抑制可能とする遮蔽部が、前記ヘッドボックス、前記ヘッドボックスを支持するブラケット、或いは前記中間レールのいずれかに設けられていることを特徴とする。
【００１６】
更に、本発明による第１及び第２態様のプリーツスクリーンにおいて、前記ヘッドボックスから吊下されるスクリーンの後方に、前記ヘッドボックスから後側スクリーンが吊下されていることを特徴とする。
【００１７】
更に、本発明による第１乃至第３態様のプリーツスクリーンにおいて、前記遮蔽部は、前記ヘッドボックスの前側又は後側で、前記ヘッドボックスの下面から当該スクリーンを吊下するための生地押さえを利用して固定又は可動に支持されていることを特徴とする。
【００１８】
更に、本発明による第１乃至第３態様のプリーツスクリーンにおいて、前記遮蔽部は、前記ヘッドボックスの前面又は後面の上段で、固定又は可動に支持されていることを特徴とする。
【００１９】
更に、本発明による第１乃至第３態様のプリーツスクリーンにおいて、前記遮蔽部は、前記ヘッドボックスの前面又は後面の中段で、固定又は可動に支持されていることを特徴とする。
【００２０】
更に、本発明による第１乃至第３態様のプリーツスクリーンにおいて、前記遮蔽部は、前記ヘッドボックスの下面の前側又は後側で、固定又は可動に支持されていることを特徴とする。
【００２１】
更に、本発明による第１乃至第３態様のプリーツスクリーンにおいて、前記遮蔽部に所定の生地が取着されていることを特徴とする。
【００２２】
更に、本発明による第１及び第２態様のプリーツスクリーンにおいて、前記遮蔽部に所定の生地が取着され、前記所定の生地は、前記後側スクリーンの前方の当該スクリーンが畳み込まれた際に前記後側スクリーンと統一性を持つ生地で構成されていることを特徴とする。
【００２３】
更に、本発明による第３態様のプリーツスクリーンにおいて、前記遮蔽部に所定の生地が取着され、前記所定の生地は、前記下部スクリーンの上方の当該スクリーンが畳み込まれた際に前記下部スクリーンと統一性を持つ生地で構成されていることを特徴とする。
【００２４】
更に、本発明による第１乃至第３態様のプリーツスクリーンにおいて、前記遮蔽部は前記所定の生地の上縁を掴持する掴持手段を有することを特徴とする。
【００２５】
更に、本発明による第１乃至第３態様のプリーツスクリーンにおいて、前記ヘッドボックスの前側に設けられていることを特徴とする。
【００２６】
更に、本発明による第１乃至第３態様のプリーツスクリーンにおいて、前記ヘッドボックスよりも前方に突出しないように設けられていることを特徴とする。
【００２７】
更に、本発明による第１乃至第３態様のプリーツスクリーンにおいて、前記遮蔽部の長さは、少なくとも前記ヘッドボックスの直下方の光漏れの防止又は抑制として作用する長さ、又は、少なくとも前記スクリーンの畳み込み状態を隠す長さ、或いは、少なくとも前記スクリーンの下端に錘部材として取着されるレールを隠す長さとして規定されていることを特徴とする。
【００２８】
更に、本発明による第１乃至第３態様のプリーツスクリーンにおいて、前記スクリーンは、折り畳み可能なハニカム構造の筒体が上下方向に多数連なる構造を有することを特徴とする。
【００２９】
更に、本発明による第１乃至第３態様のプリーツスクリーンにおいて、前記遮蔽部に所定の生地が取着され、前記所定の生地は、前記上部スクリーンと前記ハニカム構造のスクリーンにおける前側スクリーンのいずれか一方、又は双方と統一性を持つ生地で構成されていることを特徴とする。
【発明の効果】
【００３０】
本発明によれば、スクリーンが畳み込まれた時の意匠性を向上させることができ、或いはスクリーンが畳み込まれた時に生じうるヘッドボックス直下方の光漏れを抑制することができる。
【図面の簡単な説明】
【００３１】
【図１】本発明による第１実施形態のプリーツスクリーンの概略構成を示す正面図である。
【図２】本発明による第１実施形態のプリーツスクリーンの概略構成を示す側面断面図である。
【図３】本発明による第１実施形態のプリーツスクリーンにおける実施例１の遮蔽部と畳み込まれた上部スクリーンとの関係を示す側面断面図である。
【図４】（ａ）,（ｂ）,（ｃ）は、それぞれ本発明による第１実施形態のプリーツスクリーンに対する実施例２乃至４の遮蔽部の概略構成を示す側面断面図である。
【図５】本発明による第１実施形態のプリーツスクリーンに対する実施例５の遮蔽部の概略構成を示す側面断面図である。
【図６】（ａ）,（ｂ）,（ｃ）は、それぞれ本発明による第１実施形態のプリーツスクリーンに対する実施例６乃至８の遮蔽部の概略構成を示す側面断面図である。
【図７】（ａ）,（ｂ）は、それぞれ本発明による第１実施形態のプリーツスクリーンに対し後側に配置した一実施例の遮蔽部の概略構成を示す側面断面図である。
【図８】本発明による第１実施形態のプリーツスクリーンに対する実施例９の遮蔽部の概略構成を示す側面断面図である。
【図９】本発明による実施例１の遮蔽部を有する第２実施形態のプリーツスクリーンの概略構成を示す側面断面図である。
【図１０】（ａ）,（ｂ）,（ｃ）は、それぞれ本発明による第２実施形態のプリーツスクリーンに対する実施例２乃至４の遮蔽部の概略構成を示す側面断面図である。
【図１１】（ａ）,（ｂ）,（ｃ）は、それぞれ本発明による第２実施形態のプリーツスクリーンに対する実施例６乃至８の遮蔽部の概略構成を示す側面断面図である。
【図１２】本発明による第３実施形態のプリーツスクリーンにおける実施例１の遮蔽部と畳み込まれた前側スクリーンとの関係を示す側面断面図である。
【図１３】（ａ）,（ｂ）は、それぞれ本発明による第１及び第２実施形態のプリーツスクリーンに対する変形例の遮蔽部を設けた概略構成を示す側面断面図である。
【図１４】（ａ）,（ｂ）は、それぞれ本発明による第１実施形態のプリーツスクリーンに対する変形例の遮蔽部を設けた概略構成を示す側面断面図である。
【図１５】（ａ）,（ｂ）は、それぞれ本発明による第４実施形態のプリーツスクリーンにおける各実施例の概略構成を示す側面断面図である。
【発明を実施するための形態】
【００３２】
以下、図面を参照して、本発明による各実施形態のプリーツスクリーンを説明する。尚、本願明細書中、図１に示すプリーツスクリーンの正面図に対して、図示上方及び図示下方をスクリーンの吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。また、図１の正面図を視認する側を前側（室内側）とし、その反対側を後側（室外側）とする。
【００３３】
〔第１実施形態〕
（全体構成）
図１は、本発明による第１実施形態のプリーツスクリーンの概略構成を示す正面図である。図２は、本発明による第１実施形態のプリーツスクリーンの概略構成を示す側面断面図である。尚、図２では、操作コード９の図示を省略している。第１実施形態のプリーツスクリーンは、以下に説明するように、上部スクリーン１１Ｕの下端縁と下部スクリーン１１Ｌの上端縁を中間レール７に取着し、中間レール７とボトムレール８をそれぞれ独立した昇降コード１５，１６で吊下支持するよう構成される。
【００３４】
図１及び図２に示すプリーツスクリーンは、上下方向にジグザグ状に折り曲げ可能としたスクリーンをヘッドボックス１から吊下支持し、そのスクリーンを操作装置３により昇降して採光量を適宜に調節するものである。ヘッドボックス１は、ブラケット２を介して取付面に固定される。
【００３５】
本例のプリーツスクリーンでは、スクリーンを異なる生地の上部スクリーン１１Ｕと下部スクリーン１１Ｌとで構成し、上部スクリーン１１Ｕの下端縁と下部スクリーン１１Ｌの上端縁を中間レール７に取着し、中間レール７とボトムレール８をそれぞれ独立した昇降コード１５，１６で吊下支持している。
【００３６】
図１に示す例では、上部スクリーン１１Ｕを採光性生地とし、下部スクリーン１１Ｌを遮光性生地としている。
【００３７】
上部及び下部スクリーン１１Ｕ，１１Ｌの各々は、折り目１１ａを設けた生地の上下両端縁に接合片１１ｂをそれぞれ設け、その接合片１１ｂを他の生地の接合片１１ｂに溶着等の手段により接合して形成されている。
【００３８】
そして、スクリーン１１Ｕの当該接合片に対しては、ヘッドボックス１から垂下される昇降コード１５，１６が挿通され、昇降コード１５の下端は中間レール７に取着される。スクリーン１１Ｌの当該接合片に対しては、昇降コード１６が挿通され、昇降コード１６の下端はボトムレール８に取着される。
【００３９】
したがって、ボトムレール８を昇降することにより上部及び下部スクリーン１１Ｕ，１１Ｌを下方へ引き延ばし、或いは上部及び下部スクリーン１１Ｕ，１１Ｌを上方へ畳み込み可能である。
【００４０】
そして、操作コード９は、例えば無端状のボールチェーンで構成され、操作装置３内にて回転可能に収容されるプーリー１０に巻き掛けられる。プーリー１０の外周面には、操作コード９のボールチェーンのボール部が嵌まり込む複数の凹部が形成されている。
【００４１】
プーリー１０には、複数のギヤからなる伝達ギヤがヘッドボックス１内で連結され、この伝達ギヤが各伝達クラッチに連結されている（図示せず）。したがって、この伝達ギヤによってプーリー１０の回転が各伝達クラッチを介して回転駆動軸に伝達されるようになっている。
【００４２】
巻取軸５は、上部及び下部スクリーン１１Ｕ，１１Ｌの各々に対して個別に設けられ、ヘッドボックス１内で並列に配置されている。また、上部及び下部スクリーン１１Ｕ，１１Ｌの各々の巻取軸５も２軸で構成されている。そして、上部スクリーン１１Ｕの回転駆動軸の回転によって、ヘッドボックス１内で回転可能に支持された巻取軸５が回転し、巻取軸５の回転による昇降コード１５の巻き取り、或いは巻き戻しによって上部スクリーン１１Ｕが昇降される。同様に、下部スクリーン１１Ｌ用の回転駆動軸の回転によって、ヘッドボックス１内で回転可能に支持された巻取軸５が回転し、巻取軸５の回転による昇降コード１６の巻き取り、或いは巻き戻しによってスクリーン１１Ｌが昇降される。
【００４３】
左右に配置される各巻取軸５の間には、それぞれ回転駆動軸の回転を制御するストッパー装置４が配置され、ストッパー装置４は、ボトムレール８の引き上げ操作の後に操作コード９を手放したとき、中間レール７やボトムレール８の自重降下を防止するよう機能する。
【００４４】
また、ストッパー装置４の側方において、上部スクリーン１１Ｕ及び下部スクリーン１１Ｌ用のそれぞれの回転駆動軸が、それぞれのガバナー装置６に挿通されている。ガバナー装置６は、回転駆動軸の回転速度を所定値以下に抑制して、中間レール７やボトムレール８の自重降下時の下降速度を所定速度以下に抑制する機能を有する。
【００４５】
このようなプリーツスクリーンでは、中間レール７とボトムレール８とをそれぞれ別個に昇降可能である。そして、中間レール７を上限まで引き上げ、ボトムレール８を下限まで下降させると、本例のように遮光性の高い遮光性生地とした下部スクリーン１１Ｌで外光を遮断することができる。中間レール７及びボトムレール８を下限まで下降させると、本例のように透光性のある採光性生地とした上部スクリーン１１Ｕで外光を一部採り入れ可能とすることができる。
【００４６】
ボトムレール８を下限まで下降させ、中間レール７を中間位置まで引き上げれば、本例のように採光性生地とした上部スクリーン１１Ｕであれば窓の上部のみから外光を一部採り入れることもできる。また、中間レール７及びボトムレール８を上限まで引き上げると、開放状態となって外光を採り入れることができる。
【００４７】
尚、昇降コード１５，１６の後方、即ち室外側において、ヘッドボックス１からピッチ保持コード１７が垂下され、中間レール７に取着される。このピッチ保持コード１７に等間隔に多数設けられた環状の支持コード１７ａには、昇降コード１５，１６が挿通されている。そして、中間レール７を下降させて上部スクリーン１１Ｕを引き伸ばすとき、上部スクリーン１１Ｕの当該接合片が支持コードに支持されて、上部スクリーン１１Ｕの折り目がほぼ等間隔に保持されるようになっている。
【００４８】
図２に示すように、昇降コード１５の吊下位置とは異なる位置でヘッドボックス１から昇降コード１６が吊下支持され、この昇降コード１６は上部スクリーン１１Ｕの当該接合片１１ｂに設けられた挿通孔に挿通され、中間レール７に挿通され、且つ下部スクリーン１１Ｌの当該接合片１１ｂに設けられた挿通孔に挿通される。そして、昇降コード１６の下端にボトムレール８が吊下支持されている。
【００４９】
また、昇降コード１６の後方、即ち室外側において、中間レール７から垂下されるピッチ保持コード１７が、ボトムレール８に取着されている。このピッチ保持コード１７に等間隔に多数設けられた環状の支持コード１７ｂには、昇降コード１６が挿通されている。そして、ボトムレール８を下降させて下部スクリーン１１Ｌを引き伸ばすとき、この接合片が支持コードに支持されて、下部スクリーン１１Ｌの折り目がほぼ等間隔に保持されるようになっている。
【００５０】
そして、中間レール７は、中間レール本体７ａの前方（室内側）から左右幅方向全長に亘って略直方体状の前カバー７ｂが嵌着されることで構成される。
【００５１】
ところで、上部スクリーン１１Ｕが畳み込まれた時の美観を改善したいとする要望がある。更には、上部スクリーン１１Ｕが畳み込まれた時にヘッドボックス１の直下方で光漏れが生じるのを抑制したいとする要望がある。例えば、上部スクリーン１１Ｕが畳み込まれた時に昇降コード１５が巻取軸５によって巻き取られるが、ストッパー装置４の作動時に僅かに昇降コード１５が巻取軸５から巻き戻され、この昇降コード１５の戻りによって中間レール７が若干下がって停止する。このとき、上部スクリーン１１Ｕを採光性生地で構成すると、完全に畳み込まれた状態より若干開いた状態となり、ヘッドボックス１の直下方で光漏れが生じうる。
【００５２】
そこで、図１及び図２に示す第１実施形態のプリーツスクリーンでは、ヘッドボックス１の左右方向幅と略同一幅で、ヘッドボックス１の最下限位置から下方に突出する所定長さを有する遮蔽部２０が設けられている。
【００５３】
以下、第１実施形態のプリーツスクリーンにおける各実施例の遮蔽部２０について順に説明する。
【００５４】
（実施例１）
図１及び図２に示される実施例１の遮蔽部２０は、採光性生地で構成される上部スクリーン１１Ｕの畳み込み時に、その畳み込まれている上部スクリーン１１Ｕを隠すことができ、尚且つヘッドボックス１の直下方の光漏れを防止可能としている。
【００５５】
また、遮蔽部２０の室内側面には、下部スクリーン１１Ｌとの統一性をもたらす生地２１が取着され（図１参照）、特に上部スクリーン１１Ｕのみが畳み込まれているときに、そのプリーツスクリーン全体の意匠性を向上させるものとなっている。図２に示すように、この生地２１の取着のために、遮蔽部２０の前面上端には突起片２０ａの内側に爪部２０ｃが形成されており、突起片２０ａ及び爪部２０ｃは生地２１の生地押さえとして機能する掴持手段として構成される。一方、遮蔽部２０の前面下端には突起片２０ｂが形成されており、この突起片２０ｂにより、遮蔽部２０には生地２１のバタツキを抑え、且つ生地２１を圧接しないことでシワを生じさせない凹部が形成される。
【００５６】
また、図２に例示する遮蔽部２０は、上部スクリーン１１Ｕの上縁をヘッドボックス１の下面に取着するための生地押さえ１８を利用して着脱可能とする１部材で構成されている。
【００５７】
より具体的に、生地押さえ１８は、上部スクリーン１１Ｕの上縁を挟み込みヘッドボックス１の下面にて後方に突出する突出片１ａで係止されるようになっている。そして、図２に例示する遮蔽部２０は、この突出片１ａを覆うように突出片１ａの形状に適合した略Ｕ字断面の係止部２０ｄを有している。そこで、この係止部２０ｄをヘッドボックス１の突出片１ａで係合させ、上部スクリーン１１Ｕの上縁を挟み込んだ生地押さえ１８で係止することで、１部材で構成されている遮蔽部２０がヘッドボックス１の下面に取着される。
【００５８】
これにより、本例における遮蔽部２０は、生地２１の取着面が図２に示すように略鉛直方向に延在するよう、ヘッドボックス１の下面にて回動不能に固定される。従って、図示するように常には遮蔽部２０本体が鉛直方向に向く基準姿勢を維持するようになっている。そして、１部材で構成されている本例の遮蔽部２０は、例えばこのような遮蔽部を有していない既存のプリーツスクリーンに対して後付けできる。このため、本例の遮蔽部２０は、任意のプリーツスクリーンに対する遮蔽部形成の汎用化に寄与するものとなる。
【００５９】
また、図１及び図２に示す第１実施形態のプリーツスクリーンにおいて、図３に示すように、中間レール７を上限まで引き上げて上部スクリーン１１Ｕを畳み込み、ボトムレール８を下限まで下降させると、遮光性生地とした下部スクリーン１１Ｌで外光を遮断することができるが、このとき、遮蔽部２０は、畳み込まれた上部スクリーン１１Ｕ及び中間レール７が隠れる長さを有するため、プリーツスクリーン全体の意匠性を向上させることができ、尚且つヘッドボックス１の直下方の光漏れを防止することができる。特に、本例の遮蔽部２０は、上部スクリーン１１Ｕに対して近接されるため、当該光漏れの抑制作用が高くなる。
【００６０】
また、下部スクリーン１１Ｌとの統一性をもたらす生地２１を遮蔽部２０に取着することで、図３に示すような上部スクリーン１１Ｕのみが畳み込まれているときのプリーツスクリーン全体の意匠性をより一層、向上させることができる。尚、上部スクリーン１１Ｕとの統一性をもたらす生地２１を遮蔽部２０に取着する形態でもよい。
【００６１】
従って、図１及び図２に示す第１実施形態のプリーツスクリーンの構成では、遮蔽部２０を設けることで、上部スクリーン１１Ｕが畳み込まれた時の意匠性を向上させ、上部スクリーン１１Ｕが畳み込まれた時にヘッドボックス１の直下方で光漏れが生じるのを抑制することができる。更に、下部スクリーン１１Ｌ（或いは上部スクリーン１１Ｕ）との統一性をもたらす生地２１を遮蔽部２０に取着することで、プリーツスクリーン全体の意匠性を向上させることができる。
【００６２】
（実施例２）
図４（ａ）には、第１実施形態のプリーツスクリーンに適用可能な実施例２の遮蔽部２０の概略構成を示している。図４（ａ）では操作コード９や昇降コード１５，１６、ピッチ保持コード１７等の図示を省略している。遮蔽部２０を当該ヘッドボックス１の直下方で生じうる光漏れを抑制する目的のみで利用する場合では、図４（ａ）に示すように、ヘッドボックス１の最下限位置から下方に突出する遮蔽部２０の所定長さを、当該光漏れを抑制するのに十分な長さとして規定すればよい。この場合、必ずしも生地２１を取着せずともよく、生地２１の取着を不要とする遮蔽部２０として構成することもできる。
【００６３】
（実施例３）
また、図４（ｂ）には、第１実施形態のプリーツスクリーンに適用可能な実施例３の遮蔽部２０の概略構成を示している。図４（ｂ）では操作コード９や昇降コード１５，１６、ピッチ保持コード１７等の図示を省略している。上述した例とは異なり、例えば下部スクリーン１１Ｌを採光性生地とした場合に、遮蔽部２０を、下部スクリーン１１Ｌが畳み込まれた時の中間レール７の直下方で生じうる光漏れをも抑制する目的で利用する場合では、図４（ｂ）に示すように、ヘッドボックス１の最下限位置から下方に突出する遮蔽部２０の所定長さを、当該中間レール７の直下方で生じうる光漏れをも抑制するのに十分な長さとして規定すればよい。この場合、下部スクリーン１１Ｌが採光性生地として畳み込まれた時は開放状態となって外光を採り入れることができる状態であるが、下部スクリーン１１Ｌの直下方の光漏れが美観の観点から好ましくないことがあるためである。特に、遮蔽部２０に生地２１を取着することで、その意匠性を向上させることができる。
【００６４】
（実施例４）
また、図４（ｃ）には、第１実施形態のプリーツスクリーンに適用可能な実施例４の遮蔽部２０の概略構成を示している。図４（ｃ）では操作コード９や昇降コード１５，１６、ピッチ保持コード１７等の図示を省略している。遮蔽部２０を、下部スクリーン１１Ｌが畳み込まれた時の美観を向上させる目的で利用する場合では、図４（ｃ）に示すように、ヘッドボックス１の最下限位置から下方に突出する遮蔽部２０の所定長さを、当該下部スクリーン１１Ｌの畳み込みを隠すのに十分な長さとして規定すればよい。特に、遮蔽部２０に生地２１を取着することで、その意匠性を向上させることができる。
【００６５】
また、図４（ｃ）に示す実施例４の変形例として、意匠性の改善のために、ヘッドボックス１の最下限位置から下方に突出する遮蔽部２０の所定長さを、畳み込まれた当該下部スクリーン１１Ｌだけでなくボトムレール８をも隠すのに十分な長さとして規定することもできる。
【００６６】
（実施例５）
また、図５には、第１実施形態のプリーツスクリーンに適用可能な実施例５の遮蔽部２０の概略構成を示している。図５では操作コード９や昇降コード１５，１６、ピッチ保持コード１７等の図示を省略している。遮蔽部２０を複数部材とし、生地押さえ１８を利用して着脱可能とするよう構成することができる。例えば図５に示すように、遮蔽部２０を遮蔽部材２０Ａと遮蔽支持部材２０Ｂの２部材で構成した例を示している。図５に例示する遮蔽部材２０Ａは、生地２１の取着のために、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００６７】
遮蔽部材２０Ａの上端の丸軸２０ｆは、遮蔽支持部材２０Ｂの軸受部２０ｅによって本例では回動可能に支持される。遮蔽部材２０Ａは、上述した例と同様にヘッドボックス１の突出片１ａを覆うように突出片１ａの形状に適合した略Ｕ字断面の係止部２０ｄを有し上部スクリーン１１Ｕの上縁を挟み込んだ生地押さえ１８で係止される。尚、図５に例示する遮蔽部２０は、遮蔽部材２０Ａを回動可能とする例を示しているが、遮蔽部材２０Ａを前後にスライド可能に遮蔽支持部材２０Ｂで支持する構成とすることもできる。
【００６８】
ここで、図３乃至図４に例示するように遮蔽部２０をヘッドボックス１に対し着脱可能に固定して設ける場合には、遮蔽部２０を単部材化でき部品管理やコストの点で有利となる。一方、図５に例示するように遮蔽部２０をヘッドボックス１に対し相対的に回動又はスライド移動可能で着脱可能に設ける場合には、取着位置の調整や上部スクリーン１１Ｕや中間レール７等の他の部材との干渉による損傷を防止又は抑制させることができる点で有利となる。尚、遮蔽部２０をヘッドボックス１に対し相対的に回動又はスライド移動可能にする構成は、必ずしも複数部材とする必要はなく、弾性又は可撓性の材料を利用した単部材とすることも可能である。
【００６９】
前述した図１乃至図３に示す実施例１の遮蔽部２０、及び実施例２乃至５に係る遮蔽部２０では、生地押さえ１８を利用して、ヘッドボックス１の下面で支持するよう構成しているため、上部スクリーン１１Ｕに対して近接させ、ヘッドボックス１の直下方の光漏れを防止又は抑制する作用を高めることができ、任意のプリーツスクリーンに対する遮蔽部形成の汎用化に寄与するものとなる。
【００７０】
（実施例６）
一方、遮蔽部２０を利用して、ヘッドボックス１の前面部分を覆うことで、その意匠性の向上を図ることも可能である。例えば、図６（ａ）には、図１及び図２に示す第１実施形態のプリーツスクリーンの実施例６の概略構成を示している。図６（ａ）では操作コード９や昇降コード１５，１６、ピッチ保持コード１７等の図示を省略している。
【００７１】
図６（ａ）に示す実施例６に係る遮蔽部２０は、単部材としてヘッドボックス１の前側面の上段に形成された略Ｃ字断面形状の軸受部１ｂにて回動可能に支持される。このため、実施例６に係る遮蔽部２０では、その上端に回動範囲で肉厚を変化させた略コの字状の軸部２０ｈが形成され、この軸部２０ｈが軸受部１ｂに対し回動可能に係合するようになっている。
【００７２】
また、実施例６に係る遮蔽部２０では、軸部２０ｈの付け根近傍に、ヘッドボックス１の前側面と当接することで遮蔽部２０本体の上方への回動域を規制する回動規制部２０ｉと、下方への回動域を規制する回動規制部２０ｇが形成されている。回動規制部２０ｉをヘッドボックス１の前側面へ当接させて遮蔽部２０本体の上方への回動を規制することで、遮蔽部２０がブラケット２や天井面と干渉するのを防止している。また、回動規制部２０ｇをヘッドボックス１の前側面へ当接させて遮蔽部２０本体の下方への回動を規制することで、他の部材との干渉を防止するとともに、図示するように常には遮蔽部２０本体が鉛直方向に向く基準姿勢を維持するようになっている。
【００７３】
そして、実施例６に係る遮蔽部２０においても、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００７４】
実施例６に係る遮蔽部２０の長さは、図４を参照して説明したように目的に応じた所定長さを有するものとすることができる。そして、図６（ａ）に示す例では、軸部２０ｈを軸受部１ｂに対し回動可能に係合させて、遮蔽部２０をヘッドボックス１に対し相対回動可能に支持する例を説明したが、軸部２０ｈを軸受部１ｂに対し固着して、遮蔽部２０をヘッドボックス１に対し固定支持する構成としてもよい。
【００７５】
実施例６に係る遮蔽部２０においても、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００７６】
従って、実施例６に係る遮蔽部２０を有するプリーツスクリーンでは、ヘッドボックス１の直下方の光漏れ防止作用を持たせることができるだけでなく、下部スクリーン１１Ｌ（或いは上部スクリーン１１Ｕ）との統一性をもたらす生地２１を遮蔽部２０に取着することで、ヘッドボックス１の前側面における大部分の領域を含むプリーツスクリーン全体において統一感が得られ意匠性が向上する。
【００７７】
（実施例７）
また、遮蔽部２０を利用して、ヘッドボックス１の前面部分との形状的な意匠性の向上を図ることも可能である。例えば、図６（ｂ）には、第１実施形態のプリーツスクリーンに適用可能な実施例７の遮蔽部２０の概略構成を示している。図６（ｂ）では操作コード９や昇降コード１５，１６、ピッチ保持コード１７等の図示を省略している。
【００７８】
図６（ｂ）に示す実施例７に係る遮蔽部２０は、単部材としてヘッドボックス１の前側面の中段に形成された略Ｃ字断面形状の軸受部１ｃにて回動可能に支持される。このため、実施例７に係る遮蔽部２０では、その上端に丸軸２０ｊが形成され、この丸軸２０ｊが軸受部１ｃに対し回動可能に係合するようになっている。
【００７９】
また、実施例７に係る遮蔽部２０においても、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００８０】
実施例７に係る遮蔽部２０の長さは、図４を参照して説明したように目的に応じた所定長さを有するものとすることができる。そして、図６（ｂ）に示す例では、丸軸２０ｊを軸受部１ｃに対し回動可能に係合させて、遮蔽部２０をヘッドボックス１に対し相対回動可能に支持する例を説明したが、丸軸２０ｊを軸受部１ｃに対し固着して、遮蔽部２０をヘッドボックス１に対し固定支持する構成としてもよい。
【００８１】
従って、実施例７に係る遮蔽部２０を有するプリーツスクリーンでは、ヘッドボックス１の直下方の光漏れ防止作用を持たせることができるだけでなく、ヘッドボックス１の前側面と遮蔽部２０との段差を少なくし、形状的な意匠性の向上を図ることができる。また、実施例７に係る遮蔽部２０に対し、下部スクリーン１１Ｌ（或いは上部スクリーン１１Ｕ）との統一性をもたらす生地２１を遮蔽部２０に取着することで、プリーツスクリーン全体において統一感が得られ意匠性が向上する。
【００８２】
（実施例８）
また、実施例１乃至４の遮蔽部２０のように、遮蔽部２０を下部スクリーン１１Ｌに近接させる別態様として、ヘッドボックス１の下面に設けた軸受部で支持する形態とすることも可能である。例えば、図６（ｃ）には、第１実施形態のプリーツスクリーンに適用可能な実施例８の遮蔽部２０の概略構成を示している。図６（ｃ）では操作コード９や昇降コード１５，１６、ピッチ保持コード１７等の図示を省略している。
【００８３】
図６（ｃ）に示す実施例８に係る遮蔽部２０は、単部材としてヘッドボックス１の前側面の下面に形成された略Ｃ字断面形状の軸受部１ｄにて回動可能に支持される。このため、実施例８に係る遮蔽部２０は、実施例７と同様の形状を有し、その上端に丸軸２０ｊが形成され、この丸軸２０ｊが軸受部１ｄに対し回動可能に係合するようになっている。
【００８４】
また、実施例８に係る遮蔽部２０においても、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００８５】
実施例８に係る遮蔽部２０の長さは、図４を参照して説明したように目的に応じた所定長さを有するものとすることができる。そして、図６（ｃ）に示す例では、丸軸２０ｊを軸受部１ｄに対し回動可能に係合させて、遮蔽部２０をヘッドボックス１に対し相対回動可能に支持する例を説明したが、丸軸２０ｊを軸受部１ｄに対し固着して、遮蔽部２０をヘッドボックス１に対し固定支持する構成としてもよい。
【００８６】
従って、実施例８に係る遮蔽部２０を有するプリーツスクリーンでは、遮蔽部２０を下部スクリーン１１Ｌに近接させることで、ヘッドボックス１の直下方の光漏れ防止作用を向上させることができ、下部スクリーン１１Ｌ（或いは上部スクリーン１１Ｕ）との統一性をもたらす生地２１を遮蔽部２０に取着することで、プリーツスクリーン全体において統一感が得られ意匠性が向上する。
【００８７】
上述した各実施例の遮蔽部２０は、プリーツスクリーンの室内側（前側）にて支持する例を説明したが、プリーツスクリーンの室外側（後側）にて支持する形態とすることができる。
【００８８】
例えば、図１乃至図３に示す実施例１の遮蔽部２０をプリーツスクリーンの室外側（後側）にて支持する形態とした例を図７（ａ）に示している。尚、図７（ａ）に示すプリーツスクリーンでは、図１乃至図３に示す例と比較して、ヘッドボックス１の下面にて上部スクリーン１１Ｌの上縁を支持する生地押さえ１８の向きを前後逆方向としており、このため、ヘッドボックス１の下面にて突出片１ａが後方に突出している。
【００８９】
また、図６（ａ）に示す実施例６の遮蔽部２０をプリーツスクリーンの室外側（後側）にて支持する形態とした例を図７（ｂ）に示している。尚、図７（ａ）に示すプリーツスクリーンでは、図６（ａ）に示す例と比較して、ヘッドボックス１の後側上段に設けた軸受部１ｂにて遮蔽部２０の軸部２０ｈを係合させて掴持するため、ブラケット２の形状を変更している。
【００９０】
（実施例９）
また、上述した各実施例の遮蔽部２０は、ブラケット２から支持する形態とすることもできる。例えば、図８には、第１実施形態のプリーツスクリーンに適用可能な実施例９の遮蔽部２０の概略構成を示している。図８では操作コード９や昇降コード１５，１６、ピッチ保持コード１７等の図示を省略している。
【００９１】
図８に示す実施例９に係る遮蔽部２０は、遮蔽部２０を遮蔽部材２０Ａと遮蔽支持部材２０Ｂの２部材で構成した例を示している。図８に例示する遮蔽部材２０Ａは、生地２１の取着のために、上述した例と同様に突起片２０ａ及び爪部２０ｃにより生地２１の上縁を掴持し、突起片２０ｂにより生地２１のバタツキを抑え、且つ生地２１を圧接しないことでシワを生じさせない凹部を形成している。
【００９２】
遮蔽部材２０Ａの上端の丸軸２０ｆは、遮蔽支持部材２０Ｂの軸受部２０ｅによって本例では回動可能に支持される。遮蔽部材２０Ａは、軸受部２０ｅを下に持つＬ字状の板材からなり、ブラケット２により固定される。尚、遮蔽部材２０Ａを持つブラケット２は、ヘッドボックス１を天井面等に固定することを目的せず遮蔽部２０を支持することを目的とした専用のブラケット２とすることができる。また、図８に例示する遮蔽部２０は、遮蔽部材２０Ａを回動可能とする例を示しているが、遮蔽部材２０Ａを前後にスライド可能に遮蔽支持部材２０Ｂで支持する構成や、遮蔽部材２０Ａと遮蔽支持部材２０Ｂを一体化した単部材とすることもできる。
【００９３】
従って、実施例９に係る遮蔽部２０を有するプリーツスクリーンでは、前述した実施例６と同様に、ヘッドボックス１の直下方の光漏れ防止作用を持たせることができるだけでなく、下部スクリーン１１Ｌ（或いは上部スクリーン１１Ｕ）との統一性をもたらす生地２１を遮蔽部２０に取着することで、ヘッドボックス１の前側面における大部分の領域を含むプリーツスクリーン全体において統一感が得られ意匠性が向上する。また、実施例９に係る遮蔽部２０を有するプリーツスクリーンでは、このような遮蔽部を有していない既存のプリーツスクリーンに対し後付け可能であり、任意のプリーツスクリーンに対する遮蔽部形成の汎用化に寄与するものとなる。
【００９４】
以上のように、各実施例の遮蔽部２０を有する第１実施形態のプリーツスクリーンは、上部スクリーン１１Ｕと下部スクリーン１１Ｌが遮光性生地であるか採光性生地であるかを問わず、スクリーンが畳み込まれた時の意匠性を向上させることができる。特に、各実施例の遮蔽部２０を有する第１実施形態のプリーツスクリーンは、上部スクリーン１１Ｕを採光性生地としたときは、上部スクリーン１１Ｕが畳み込まれた時に生じうるヘッドボックス１の直下方の光漏れを抑制することができる。
【００９５】
また、各実施例の遮蔽部２０を有する第１実施形態のプリーツスクリーンは、上部スクリーン１１Ｕを採光性生地としたときは、中間レール７の直下方の光漏れを抑制することもできる。更に、各実施例の遮蔽部２０を有する第１実施形態のプリーツスクリーンは、下部スクリーン１１Ｌを遮光性生地としたときは、下部スクリーン１１Ｌとの統一性をもたらす生地２１を遮蔽部２０に取着することで、上部スクリーン１１Ｕが畳み込まれた時のプリーツスクリーン全体の意匠性に統一感を持たせることができ、その意匠性を向上させることができる。
【００９６】
〔第２実施形態〕
上述した第１実施形態では、上部スクリーン１１Ｕの下端縁と下部スクリーン１１Ｌの上端縁を中間レール７に取着し、中間レール７とボトムレール８をそれぞれ独立した昇降コード１５，１６で吊下支持するプリーツスクリーンを例に説明したが、１枚のスクリーン１１をヘッドボックス１から吊下支持するプリーツスクリーンにも、上述した各実施例の遮蔽部２０を設けることができる。
【００９７】
例えば、図９は、前述した図１乃至図３に係る実施例１の遮蔽部２０を有する第２実施形態のプリーツスクリーンの概略構成を示す側面断面図である。図９では操作コードや昇降コード、ピッチ保持コード等の図示を省略している。図９に示す第２実施形態のプリーツスクリーンでは、第１実施形態と同様に、スクリーン１１の上縁をヘッドボックス１の下面に取着するための生地押さえ１８を利用して着脱可能とする１部材で構成され、遮蔽部２０における生地２１の取着面が略鉛直方向に延在するよう、ヘッドボックス１の下面にて回動不能に固定される。そして、本例の遮蔽部２０は、このような遮蔽部を有していない既存のプリーツスクリーンに対して後付けでき、本例の遮蔽部２０は、任意のプリーツスクリーンに対する遮蔽部形成の汎用化に寄与するものとなる。
【００９８】
また、図９に示すように、スクリーン１１を畳み込み、ボトムレール８を上昇させると、遮蔽部２０により、ボトムレール８から連なり畳み込まれたスクリーン１１を全体的に隠すことができ、意匠性を向上させることができる。更に、スクリーン１１との統一性をもたらす生地２１を遮蔽部２０に取着することで、プリーツスクリーン全体の意匠性を向上させることができる。
【００９９】
また、スクリーン１１が採光性生地として畳み込まれた時は開放状態となって外光を採り入れることができる状態であるが、ヘッドボックス１の直下方の光漏れが美観の観点から好ましくないことがあり、この光漏れを遮蔽部２０によって防止又は抑制することができる。
【０１００】
そして、図４（ａ）,（ｂ）,（ｃ）にそれぞれ示す実施例２乃至４の遮蔽部２０を利用して、第２実施形態のプリーツスクリーンに適用することで、それぞれ第１実施形態と同様の作用・効果を得ることができる。
【０１０１】
例えば、この光漏れを防止又は抑制する目的で遮蔽部２０を設けるときは、図１０（ａ）に示すように、ヘッドボックス１の最下限位置から下方に突出する遮蔽部２０の所定長さを、ヘッドボックス１の直下方で生じうる光漏れを抑制するのに十分な長さとして規定すればよい。
【０１０２】
また、ボトムレール８上の畳み込まれたスクリーン１１を隠して意匠性を向上させる目的で遮蔽部２０を設けるときは、図１０（ｂ）に示すように、ヘッドボックス１の最下限位置から下方に突出する遮蔽部２０の所定長さを、その畳み込まれたスクリーン１１を隠すのに十分な長さとして規定すればよい。
【０１０３】
また、ボトムレール８を隠して意匠性を向上させる目的で遮蔽部２０を設けるときは、図１０（ｃ）に示すように、ヘッドボックス１の最下限位置から下方に突出する遮蔽部２０の所定長さを、ボトムレール８を隠すのに十分な長さとして規定すればよい。
【０１０４】
また、図１１（ａ）,（ｂ）,（ｃ）にそれぞれ示すように、図６（ａ）,（ｂ）,（ｃ）をそれぞれ参照して説明した実施例６乃至８の遮蔽部２０を利用して、第２実施形態のプリーツスクリーンに適用することで、それぞれ第１実施形態と同様の作用・効果を得ることができる。
【０１０５】
例えば、図１１（ａ）に示すように、前述した実施例６に係る遮蔽部２０を有する第２実施形態のプリーツスクリーンでは、ヘッドボックス１の直下方の光漏れ防止作用を持たせることができるだけでなく、スクリーン１１との統一性をもたらす生地２１を遮蔽部２０に取着することで、ヘッドボックス１の前側面における大部分の領域を含むプリーツスクリーン全体において統一感が得られ意匠性が向上する。
【０１０６】
また、図１１（ｂ）に示すように、前述した実施例７に係る遮蔽部２０を有する第２実施形態のプリーツスクリーンでは、ヘッドボックス１の直下方の光漏れ防止作用を持たせることができるだけでなく、ヘッドボックス１の前側面と遮蔽部２０との段差を少なくし、形状的な意匠性の向上を図ることができる。また、実施例７に係る遮蔽部２０に対し、下部スクリーン１１との統一性をもたらす生地２１を遮蔽部２０に取着することで、プリーツスクリーン全体において統一感が得られ意匠性が向上する。
【０１０７】
また、図１１（ｃ）に示すように、前述した実施例７に係る遮蔽部２０を有する第２実施形態のプリーツスクリーンでは、遮蔽部２０をスクリーン１１に近接させることで、ヘッドボックス１の直下方の光漏れ防止作用を向上させることができ、スクリーン１１との統一性をもたらす生地２１を遮蔽部２０に取着することで、プリーツスクリーン全体において統一感が得られ意匠性が向上する。
【０１０８】
〔第３実施形態〕
上述した第１実施形態では、上部スクリーン１１Ｕの下端縁と下部スクリーン１１Ｌの上端縁を中間レール７に取着し、中間レール７とボトムレール８をそれぞれ独立した昇降コード１５，１６で吊下支持するプリーツスクリーンを例に説明したが、２枚のスクリーン１１Ｆ，１１Ｒをヘッドボックス１から前後に吊下支持するプリーツスクリーンにも、上述した各実施例の遮蔽部２０を設けることができる。
【０１０９】
例えば、図１２は、本発明による第３実施形態のプリーツスクリーンの概略構成を示す側面断面図であり、特に、実施例１の遮蔽部２０と畳み込まれた前側スクリーン１１Ｆとの関係を示している。尚、図１２では、操作コードの図示を省略している。
【０１１０】
図１２に示す第３実施形態のプリーツスクリーンでは、前側スクリーン１１Ｆの上縁は、生地押さえ１８Ｆによってヘッドボックス１の下面前方に支持され、後側スクリーン１１Ｒの上縁は、生地押さえ１８Ｒによってヘッドボックス１の下面後方に支持される。
【０１１１】
前側スクリーン１１Ｆ及び後側スクリーン１１Ｒは、それぞれボトムレール８Ｆ，８Ｒを吊下支持する昇降コード１５Ｆ，１５Ｒによって昇降可能である。また、昇降コード１５，１６の後方、即ち室外側において、ヘッドボックス１からそれぞれピッチ保持コード１７Ｆ，１７Ｒが垂下され、それぞれボトムレール８Ｆ，８Ｒに取着される。各ピッチ保持コード１７Ｆ，１７Ｒに等間隔に多数設けられた環状の支持コードに、それぞれ昇降コード１５Ｆ，１５Ｒが挿通されている。そして、ボトムレール８Ｆ（又は８Ｒ）を下降させて前側スクリーン１１Ｆ（又は後側スクリーン１１Ｒ）を引き伸ばすとき、前側スクリーン１１Ｆ（又は後側スクリーン１１Ｒ）が当該支持コードに支持されて、前側スクリーン１１Ｆ（又は後側スクリーン１１Ｒ）の折り目がほぼ等間隔に保持されるようになっている。
【０１１２】
そして、ヘッドボックス１の下面における前側スクリーン１１Ｆの前方にて、図１乃至図３に例示した実施例１の遮蔽部２０が、生地押さえ１８Ｆを利用して、ヘッドボックス１の下面で後方に突出する突起片１ａにより、第１実施形態と同様に支持されている。
【０１１３】
特に、前側スクリーン１１Ｆを採光性生地とし、後側スクリーン１１Ｒを遮光性生地としたとき、図１２に示すように、前側スクリーン１１Ｆが畳み込まれた状態では、この実施例１の遮蔽部２０が、畳み込まれた前側スクリーン１１Ｆ及びボトムレール８Ｆを隠すことができ意匠性が向上する。また、後側スクリーン１１Ｒとの統一性をもたらす生地２１を遮蔽部２０に取着することで、プリーツスクリーン全体において統一感が得られ意匠性が向上する。
【０１１４】
また、前側スクリーン１１Ｆを採光性生地とし、後側スクリーン１１Ｒを遮光性生地としたとき、前側スクリーン１１Ｆ及び後側スクリーン１１Ｒの双方が畳み込まれた時、遮光性生地とした後側スクリーン１１Ｒの厚みの影響で、ボトムレール８Ｆよりも公報のボトムレール８Ｒの方が下方に位置することがある。このような場合、この実施例１の遮蔽部２０の長さを、当該前側スクリーン１１Ｆ及び後側スクリーン１１Ｒの双方が畳み込まれた時に下方に位置するボトムレール８Ｆを隠す長さとすることで、意匠性が向上する。
【０１１５】
また、前側スクリーン１１Ｆ及び後側スクリーン１１Ｒの双方を採光性生地としたとき、ヘッドボックス１の直下方の光漏れを防止又は抑制することができる。
【０１１６】
〔変形例〕
上述した第１実施形態における各実施例の遮蔽部２０は、単部材又は複数部材で構成して、ヘッドボックス１、又はブラケット２により支持される例を説明したが、第１乃至第３実施形態のプリーツスクリーンに対し、同様の遮蔽部２０を中間レール７又はボトムレール８に設ける構成とすることもできる。
【０１１７】
例えば、上部スクリーン１１Ｕの下端縁と下部スクリーン１１Ｌの上端縁を中間レール７に取着し、中間レール７とボトムレール８をそれぞれ独立した昇降コード１５，１６で吊下支持するプリーツスクリーンにおいて、図１３（ａ）に示すように、中間レール７を構成する中間レール本体７ａの前方（室内側）から左右幅方向全長に亘って略直方体状の前カバー７ｂが嵌着されているが、この前カバー７ｂに遮蔽部２０を一体化させることができる。
【０１１８】
図１３（ａ）に示す遮蔽部２０は、当該遮蔽部２０における生地２１の取着面が略鉛直方向上方に延在するよう、前カバー７ｂに一体化させている。そして、本例の遮蔽部２０は、このような遮蔽部を有していない既存のプリーツスクリーンにおける前カバー７ｂに代えて後付けでき汎用化に寄与するものとなる。
【０１１９】
そして、上部スクリーン１１Ｕが畳み込み込まれた状態では、中間レール７自体と、畳み込まれた上部スクリーン１１Ｕを全体的に隠すことができ、意匠性を向上させることができ、ヘッドボックス１の直下方の光漏れを防止又は抑制させることができる。更に、上部スクリーン１１Ｕが畳み込み込まれ、ボトムレール８が下限に位置する状態では、下部スクリーン１１Ｌとの統一性をもたらす生地２１を遮蔽部２０に取着することで、プリーツスクリーン全体の意匠性を向上させることができる。
【０１２０】
また、図１３（ａ）に示す例において、遮蔽部２０を、下部スクリーン１１Ｌが畳み込まれた状態を隠すように、或いはボトムレール８をも隠すように、中間レール７より下方に伸ばす形態とすることもできる。下部スクリーン１１Ｌが採光性生地として畳み込まれた時は開放状態となって外光を採り入れることができる状態であるが、ヘッドボックス１の直下方の光漏れが美観の観点から好ましくないことがあり、この光漏れを遮蔽部２０によって防止又は抑制することができる。そして、下部スクリーン１１Ｌが畳み込まれた時にボトムレール８をも隠すように中間レール７より下方に伸ばす形態とした遮蔽部２０を中間レール７に一体化させたときには、その意匠性を向上させることができる。
【０１２１】
また、図１３（ｂ）に示すように、１枚のスクリーン１１をヘッドボックス１から吊下支持するプリーツスクリーンの場合には、ボトムレール８の後部から上方へ突出するように遮蔽部２０を一体形成させる形態とすることができる。
【０１２２】
スクリーン１１が採光性生地として畳み込まれた時は開放状態となって外光を採り入れることができる状態であるが、ヘッドボックス１の直下方の光漏れが美観の観点から好ましくないことがあり、この光漏れを図１３（ｂ）に示す遮蔽部２０によって防止又は抑制することができる。
【０１２３】
更に、上述した第１実施形態における各実施例の遮蔽部２０は、単部材又は複数部材で構成して、ヘッドボックス１、又はブラケット２により支持される例を説明したが、第１乃至第３実施形態のプリーツスクリーンに対し、同様の遮蔽部２０をヘッドボックス１に予め一体化させることができる。
【０１２４】
例えば、図１４（ａ）に示すように、第１実施形態のプリーツスクリーンに対し、ヘッドボックス１の最下限位置にて、下部スクリーン１１Ｌとの統一性をもたらす生地２１を取着可能な遮蔽部２０を一体形成させている。このような遮蔽部２０は、ヘッドボックス１の上段や中段、或いはブラケット２（専用ブラケットを含む）に対し一体形成させた形態とすることもできる。
【０１２５】
更に、上述した第１実施形態における各実施例の遮蔽部２０は、下部スクリーン１１Ｌとの統一性をもたらす生地２１を取着可能な態様で単部材又は複数部材で構成して、ヘッドボックス１、又はブラケット２により支持される例を説明したが、この生地２１自体を遮蔽部２０として機能させ、ヘッドボックス１、又はブラケット２により支持する構成とすることもできる。
【０１２６】
例えば、図１４（ｂ）に示すように、下部スクリーン１１Ｌとの統一性をもたらす生地２１自体を遮蔽部２０として機能させ、第１実施形態のプリーツスクリーンに対し、ヘッドボックス１の下面に形成した軸受部１ｅにて、この遮蔽部２０として機能する生地２１の上縁を丸軸２０等により吊下支持している。この生地２１の長さをその目的に応じたものとなるよう規制することで、遮蔽部２０として機能させることができる。
【０１２７】
〔第４実施形態〕
上述した第１乃至第３実施形態では、ジグザグ状に折り曲げ可能としたスクリーンをヘッドボックスから吊下支持するプリーツスクリーンを例に説明したが、折り畳み可能なハニカム構造（複層構造）の筒体が上下方向に多数連なる構造を有するハニカム構造のスクリーンを中間レール７又はヘッドボックス１から吊下支持し、当該ハニカム構造のスクリーンを昇降可能とするプリーツスクリーンに対しても、上述した各実施形態及び各実施例の遮蔽部２０を設けることができる。
【０１２８】
例えば、図１５（ａ）には、第４実施形態のプリーツスクリーンの一実施例の概略構成を示す側面断面図を示している。図１５（ａ）に示すプリーツスクリーンは、ジグザグ状に折り曲げ可能とした上部スクリーン１１Ｕの上縁をヘッドボックス１から吊下支持し、上部スクリーン１１Ｕの下縁を中間レール７に取着している。また、折り畳み可能なハニカム形状の筒体が上下方向に多数連なる構造を有するハニカム構造の下部スクリーン１１Ｌ（前側スクリーン１１ＨＦ及び後側スクリーン１１ＨＲ）の上縁を中間レール７から吊下支持し、そのハニカム構造の下部スクリーン１１Ｌ（前側スクリーン１１ＨＦ及び後側スクリーン１１ＨＲ）の下縁をボトムレール８に取着している。
【０１２９】
ここで、ハニカム構造の下部スクリーン１１Ｌは、その前側スクリーン１１ＨＦと後側スクリーン１１ＨＲとを異なる種類の生地で構成することができる。
【０１３０】
図１５（ａ）に示すプリーツスクリーンにおいて、第１実施形態と同様に、ヘッドボックス１の左右方向幅と略同一幅で、ヘッドボックス１の最下限位置から下方に突出する所定長さを有する遮蔽部２０が設けられている。特に、図１５（ａ）に示す遮蔽部２０は、第１実施形態と同様に、上部スクリーン１１Ｕの上縁を挟み込みヘッドボックス１の下面にて後方に突出する突出片１ａで係止する生地押さえ１８を利用して、遮蔽部２０の略Ｕ字断面の係止部２０ｄを係止することで、ヘッドボックス１の下面に取着されている。
【０１３１】
図１５（ａ）に示すプリーツスクリーンでは、第１実施形態と同様に、中間レール７は昇降コード１５により昇降可能であり、ボトムレール８は昇降コード１６により昇降可能である。従って、第１実施形態に関して図３を参照して説明したように、中間レール７を上限まで引き上げて上部スクリーン１１Ｕを畳み込み、ボトムレール８を下限まで下降させると、遮蔽部２０によって、畳み込まれた上部スクリーン１１Ｕ及び中間レール７を隠すことができる。このため、上部スクリーン１１Ｕが畳み込まれたきのプリーツスクリーン全体の意匠性を向上させることができる。
【０１３２】
また、図１５（ａ）に示すプリーツスクリーンにおいて、ハニカム構造の下部スクリーン１１Ｌにおける前側スクリーン１１ＨＦとの統一性をもたらす生地２１を遮蔽部２０に取着することで、上部スクリーン１１Ｕのみが畳み込まれているときのプリーツスクリーン全体の意匠性をより一層、向上させることができる。
【０１３３】
一方で、図１５（ａ）に示すプリーツスクリーンにおいて、上部スクリーン１１Ｕとの統一性をもたらす生地２１を遮蔽部２０に取着することで、中間レール７が下限位置にあり上部スクリーン１１Ｕが視認されるときに、プリーツスクリーン全体の意匠性を向上させる形態とすることもできる。
【０１３４】
また、図１５（ｂ）には、第４実施形態のプリーツスクリーンの別実施例の概略構成を示す側面断面図を示している。図１５（ｂ）に示すプリーツスクリーンは、ハニカム構造のスクリーン１１（前側スクリーン１１ＨＦ及び後側スクリーン１１ＨＲ）の上縁をヘッドボックス１から吊下支持し、そのハニカム構造のスクリーン１１（前側スクリーン１１ＨＦ及び後側スクリーン１１ＨＲ）の下縁をボトムレール８に取着している。
【０１３５】
図１５（ｂ）に示すプリーツスクリーンにおいて、第１実施形態と同様に、ヘッドボックス１の左右方向幅と略同一幅で、ヘッドボックス１の最下限位置から下方に突出する所定長さを有する遮蔽部２０が設けられている。特に、図１５（ｂ）に示す遮蔽部２０は、第１実施形態とほぼ同様に、ハニカム構造のスクリーン１１（前側スクリーン１１ＨＦ及び後側スクリーン１１ＨＲ）の上縁を係着しヘッドボックス１の下面にて後方に突出する突出片１ａで係止する生地押さえ１８を利用して、遮蔽部２０の略Ｕ字断面の係止部２０ｄを係止することで、ヘッドボックス１の下面に取着されている。
【０１３６】
図１５（ｂ）に示すプリーツスクリーンでは、ボトムレール８は昇降コード１６により昇降可能である。従って、ボトムレール８を上限まで引き上げてハニカム構造のスクリーン１１（前側スクリーン１１ＨＦ及び後側スクリーン１１ＨＲ）を畳み込むと、遮蔽部２０によって、その畳み込まれたハニカム構造のスクリーン１１を隠すことができ、或いはボトムレール８をも隠すことができる。このため、ハニカム構造のスクリーン１１が畳み込まれたきのプリーツスクリーン全体の意匠性を向上させることができる。
【０１３７】
また、図１５（ｂ）に示すプリーツスクリーンにおいて、ハニカム構造のスクリーン１１が畳み込まれていない場合でも、ハニカム構造のスクリーン１１における前側スクリーン１１ＨＦとの統一性をもたらす生地２１を遮蔽部２０に取着することで、プリーツスクリーン全体の意匠性を向上させることができる。
【０１３８】
以上のように、各実施例又は変形例の遮蔽部２０を有する第１乃至第４実施形態のプリーツスクリーンは、特にスクリーンが畳み込まれた時の意匠性を向上させることができ、スクリーンを採光性生地としたときは、そのスクリーンが畳み込まれた時に生じうるヘッドボックス１又は中間レール７の直下方の光漏れを抑制することができる。
【０１３９】
また、各実施例又は変形例の遮蔽部２０を有する第１乃至第４実施形態のプリーツスクリーンは、スクリーンとの統一性をもたらす生地２１を当該遮蔽部２０に取着することで、プリーツスクリーン全体の意匠性に統一感を持たせることができ、その意匠性を向上させることができる。
【０１４０】
以上、特定の実施形態の例を挙げて本発明を説明したが、本発明は前述の実施形態の例に限定されるものではなく、その技術思想を逸脱しない範囲で種々変形可能である。例えば、各実施例又は変形例の遮蔽部２０において、各実施例において、遮蔽部２０に対する生地２１の取着方法として特定の掴持手段を例示して説明したが、これに限定されず、接着等の他の取着方法でもよい。
【０１４１】
上述した実施形態の例では、遮蔽部２０に対し取着する生地２１を、各実施形態のスクリーン１１、或いは上部スクリーン１１Ｕ、下部スクリーン１１Ｌ、前側スクリーン１１Ｆ，１１ＨＦ、後側スクリーン１１Ｒ，１１ＨＲ、などのいずれかのスクリーンと同一の生地を利用することで統一性をもたらすとして説明したが、このようなスクリーンに対し「統一性を持つ生地２１」とは、「同一の生地」とする以外にも、「色彩は同一だが、生地質は異なる」ものや、「色彩は異なるが、模様が同一」ものを含む。
【０１４２】
上述した実施形態では、上下方向にジグザグ状に折り曲げ可能としたスクリーンをヘッドボックスから吊下支持する特定の実施形態のプリーツスクリーンに対し、本発明に係る遮蔽部２０を設ける例を説明したが、各実施形態の要素を適宜組み合わせた別の実施形態のプリーツスクリーンを構成し、本発明に係る遮蔽部２０を設けることができる。
【０１４３】
また、各実施形態のプリーツスクリーンにおいて、手動操作に必要な操作コード９を用いた操作装置３及びストッパー装置４を設ける代わりに、電動式のモーターや制御装置を設けたプリーツスクリーンとすることもできる。
【産業上の利用可能性】
【０１４４】
本発明によれば、スクリーンが畳み込まれた時の意匠性を向上させることができ、或いはスクリーンが畳み込まれた時に生じうるヘッドボックス直下方の光漏れを抑制することができるので、プリーツスクリーンの用途に有用である。
【符号の説明】
【０１４５】
１  ヘッドボックス
２  ブラケット
３  操作装置
４  ストッパー装置
５  巻取軸
６  ガバナー
７  中間レール（錘部材）
７ａ  中間レール本体
７ｂ  中間レール用の前カバー
８  ボトムレール（錘部材）
９  操作コード
１１  スクリーン
１１Ｕ  上部スクリーン
１１Ｌ  下部スクリーン
１１Ｆ，１１ＨＦ  前側スクリーン
１１Ｒ，１１ＨＲ  後側スクリーン
１５，１５Ｆ，１５Ｒ，１６，１６Ｆ，１６Ｒ  昇降コード
１７，１７Ｆ，１７Ｒ  ピッチ保持コード
１８，１８Ｆ，１８Ｒ  生地押さえ
２０  遮蔽部
２１  生地
【図１】
2018131821.tif 000003
【図２】
2018131821.tif 000004
【図３】
2018131821.tif 000005
【図４】
2018131821.tif 000006
【図５】
2018131821.tif 000007
【図６】
2018131821.tif 000008
【図７】
2018131821.tif 000009
【図８】
2018131821.tif 000010
【図９】
2018131821.tif 000011
【図１０】
2018131821.tif 000012
【図１１】
2018131821.tif 000013
【図１２】
2018131821.tif 000014
【図１３】
2018131821.tif 000015
【図１４】
2018131821.tif 000016
【図１５】
2018131821.tif 000017